(57)【特許請求の範囲】
【請求項１】
１，１，１，２，２，３，４，５，５，５−デカフルオロペンタンおよび１，１，１，３，３−ペンタフルオロブタンからなる群から選択される２質量％から５０質量％のヒドロフルオロカーボン、２質量％から５０質量％の１，１，２，２，３，３，４−ヘプタフルオロシクロペンタン、ならびに油および汚染物質を溶解するのに有効な量のトランス−１，２−ジクロロエチレンを含む共沸混合物様組成物。
【請求項２】
組成物が、２質量％から３５質量％の１，１，１，２，２，３，４，５，５，５−デカフルオロペンタン、２質量％から３０質量％の１，１，２，２，３，３，４−ヘプタフルオロシクロペンタン、および５４質量％から９０質量％のトランス−１，２−ジクロロエチレンを含む、請求項１に記載の組成物。
【請求項３】
組成物が、５質量％から２０質量％の１，１，１，２，２，３，４，５，５，５−デカフルオロペンタン、５質量％から２０質量％の１，１，２，２，３，３，４−ヘプタフルオロシクロペンタン、および６０質量％から８８質量％のトランス−１，２−ジクロロエチレンを含む、請求項１に記載の組成物。
【請求項４】
ヒドロフルオロカーボンが１，１，１，３，３−ペンタフルオロブタンである、請求項１に記載の組成物。
【請求項５】
組成物が、１０質量％から５０質量％の１，１，１，３，３−ペンタフルオロブタン、２質量％から４９質量％の１，１，２，２，３，３，４−ヘプタフルオロシクロペンタン、および少なくとも４１質量％のトランス−１，２−ジクロロエチレンを含む、請求項４に記載の組成物。
【請求項６】
組成物が、１０質量％から５０質量％の１，１，１，３，３−ペンタフルオロブタン、２質量％から２０質量％の１，１，２，２，３，３，４−ヘプタフルオロシクロペンタン、および４６質量％から８０質量％のトランス−１，２−ジクロロエチレンを含む、請求項４に記載の組成物。
【請求項７】
１質量％から６質量％のアルコールをさらに含む、請求項１に記載の組成物。
【請求項８】
アルコールが、メタノール、エタノール、１−プロパノール、２−プロパノールおよび２−メチル−２−プロパノールからなる群から選択される、請求項７に記載の組成物。
【請求項９】
アルコールが、２−プロパノールである、請求項８に記載の組成物。
【請求項１０】
組成物が、２質量％から２５質量％の１，１，１，２，２，３，４，５，５，５−デカフルオロペンタン、２質量％から２０質量％の１，１，２，２，３，３，４−ヘプタフルオロシクロペンタン、６０質量％から９０質量％のトランス−１，２−ジクロロエチレン、および２質量％から５質量％のアルコールを含む、請求項７に記載の組成物。
【発明の詳細な説明】
【技術分野】
【０００１】
関連出願の相互参照
本出願は、２００６年１２月１２日に出願された、米国仮特許出願第６０／８７４，３６５号の優先権の利益を主張する。
【０００２】
本開示は一般に、洗浄用途のための溶媒として有用な新規な共沸組成物または共沸混合物様組成物に関する。
【背景技術】
【０００３】
クロロフルオロカーボン（ＣＦＣ）化合物は、磁気ディスク媒体などの表面を洗浄するために半導体製造分野で広範囲に使用されてきた。しかし、ＣＦＣ化合物などの塩素含有化合物は、地球のオゾン層に有害であると考えられている。さらに、ＣＦＣ化合物の代わりに使用される多くのヒドロフルオロカーボンは、地球温暖化の一因になることが見いだされている。したがって、洗浄用途、例えば、残留フラックス、潤滑剤または油の汚染物質、および粒子などを除くことのために、新規な環境的に安全な溶媒を発見する必要性が存在する。フッ素潤滑剤の沈着、および水溶液において処理されてきた物質の乾燥または脱水のために新規な溶媒の発見に対する必要性も存在する。
【０００４】
約５８〜６８重量パーセントの１，１，１，２，３，４，４，５，５，５−デカフルオロペンタン（ＨＦＣ−４３−１０ｍｅｅ）および約３２〜４２重量パーセントのトランス−１，２−ジクロロエチレンを含む共沸組成物は、特許文献１に記載されている。
【０００５】
約１〜５０重量パーセントの１，１，２，２，３，３，４−ヘプタフルオロシクロペンタン（ＨＦＣＰ）および約５０〜９９重量パーセントのトランス−１，２−ジクロロエチレンを含む共沸組成物は、特許文献２に記載されている。
【０００６】
１，１，２，２，３，３，４−ヘプタフルオロシクロペンタン（ＨＦＣＰ）および少なくとも１種の有機溶媒を含む溶媒組成物は、特許文献３に記載されている。
【先行技術文献】
【特許文献】
【０００７】
【特許文献１】米国特許第５，１９６，１３７号明細書
【特許文献２】米国特許第７，０６７，４６８号明細書
【特許文献３】米国特許第６，３１２，７５９号明細書
【発明の概要】
【課題を解決するための手段】
【０００８】
１，１，１，２，３，４，４，５，５，５−デカフルオロペンタンおよび１，１，１，３，３−ペンタフルオロブタンからなる群から選択される約２重量％から約５０重量％のヒドロフルオロカーボン、約２重量％から約５０重量％の１，１，２，２，３，３，４−ヘプタフルオロシクロペンタン、ならびに油および汚染物質を溶解するのに有効な量のトランス−１，２−ジクロロエチレンを含む共沸混合物様組成物が開示される。別の実施形態において、約１５から約９９重量パーセントの１，１，１，２，３，４，４，５，５，５−デカフルオロペンタンおよび約８５から約１重量パーセントの１，１，２，２，３，３，４−ヘプタフルオロシクロペンタンを含むフルオロカーボン溶媒組成物であって、凝固点が０℃未満である組成物が開示される。
【０００９】
前述の一般的な説明および以下の詳細な説明は、単に例示および説明するためのものであり、添付の特許請求の範囲に定義されるような本発明を限定しない。
【００１０】
本明細書に提示されるような概念をよく理解させるために、添付の図面で実施形態を説明する。
【図面の簡単な説明】
【００１１】
【図１】定沸点混合物の組成を決定するために使用されるデュアルバルブ蒸留装置を示す図である。
【００１２】
当業者は、図中の対象が、簡略化および明確化のために図示され、必ずしも一律の縮尺に従って描かれていないことを理解する。例えば、図中の一部の対象の寸法は、実施形態の理解を助けるために、他の対象と比べて誇張されることがある。
【発明を実施するための形態】
【００１３】
本開示は、ヒドロフルオロカーボン混合物を含む新規な共沸性および共沸混合物様組成物を提供する。これらの組成物は、以前にはＣＦＣ化合物が担っていた多くの用途に有用性を有する。本開示の組成物は、環境に与える影響がほとんどまたは全くない一部または全ての所望の特性、油、グリースまたはフラックスを溶解する能力を保有する。特に、これらの新規な三元の共沸組成物および共沸混合物様組成物は、二元の共沸性組成物に見られない特性を提供する。
【００１４】
１，１，１，２，３，４，４，５，５，５−デカフルオロペンタンおよび１，１，１，３，３−ペンタフルオロブタンからなる群から選択される約２重量％から約５０重量％のヒドロフルオロカーボン、約２重量％から約５０重量％の１，１，２，２，３，３，４−ヘプタフルオロシクロペンタン、ならびに油および汚染物質を溶解するのに有効な量のトランス−１，２−ジクロロエチレンを含む共沸混合物様組成物が開示される。別の実施形態において、共沸混合物様組成物は、約１重量％から約６重量％のアルコールをさらに含む。別の実施形態において、約１５重量％から約９９重量パーセントの１，１，１，２，３，４，４，５，５，５−デカフルオロペンタンおよび約８５重量％から約１重量パーセントの１，１，２，２，３，３，４−ヘプタフルオロシクロペンタンを含むフルオロカーボン溶媒組成物であって、凝固点が０℃未満である組成物が開示される。
【００１５】
下記の実施形態の詳細を述べる前に、一部の用語が定義または明確化される。
【００１６】
本明細書で用いられるように、共沸組成物は、２種以上の物質の定沸点液体混合物であり、ここで、この混合物は、実質的な組成変化なしに蒸留され、定沸点組成物として挙動する。共沸として特徴づけられる定沸点組成物は、同じ物質の非共沸混合物のそれと比べて、最高沸点または最低沸点のいずれかを示す。本明細書に用いられるような共沸組成物には、単一の物質として挙動する２種以上の物質の液体混合物である均一共沸混合物が含まれ、液体の部分蒸発または蒸留によって生じた蒸気は、液体と同じ組成を有する。本明細書で用いられるような共沸組成物には、液相が２つ以上の液相に分かれる不均一共沸混合物も含まれる。これらの実施形態において、共沸点で、蒸気相は２つの液相と平衡状態にあり、３つの相は全て、異なる組成を有する。不均一共沸混合物の２つの平衡液相が合わせられて、その全体の液相の組成が計算される場合、これは蒸気相の組成と同一である。
【００１７】
本明細書で用いられるように、「近共沸組成物（ｎｅａｒ  ａｚｅｏｔｒｏｐｉｃ  ｃｏｍｐｏｓｉｔｉｏｎ）」と呼ばれることもある「共沸混合物様組成物」という用語は、単一の物質として挙動する２種以上の物質の定沸点、または実質的に定沸点の液体混合物を意味する。共沸混合物様組成物を特徴づける１つの点は、液体の部分蒸発または蒸留によって生成される蒸気が、それが蒸発または蒸留される液体と実質的に同じ組成を有することである。すなわち、この混合物は、実質的な組成変化なしに蒸留／還流される。共沸混合物様組成物を特徴づける別の点は、特定の温度における本組成物の泡立ち点蒸気圧および本組成物の露点蒸気圧が実質的に同じであることである。これを考慮すると、蒸発または沸騰除去などにより本組成物の５０重量％が除去される場合、最初の組成物と最初の組成物の５０重量パーセントが蒸発または沸騰除去により除去された後残存する組成物との間の蒸気圧の相違が１０パーセント未満である。
【００１８】
本明細書で用いられる際に、「含む（ｃｏｍｐｒｉｓｅｓ）」、「含んでいる（ｃｏｍｐｒｉｓｉｎｇ）」、「含む（ｉｎｃｌｕｄｅｓ）」、「含んでいる（ｉｎｃｌｕｄｉｎｇ）」、「有する」、「有している」またはそれらの任意の他の変形は、非排他的な包含に及ぶことが意味される。例えば、一連の要素を含む方法（ｐｒｏｃｅｓｓ）、方法（ｍｅｔｈｏｄ）、物品または装置は、それらの要素のみに必ずしも限定されず、明示的に列挙されないかまたはこのような方法（ｐｒｏｃｅｓｓ）、方法（ｍｅｔｈｏｄ）、物品、または装置に固有の他の要素が含まれ得る。さらに、別に明記しない限り、「または」は、包括的な「または」を指し、排他的な「または」は指さない。例えば、条件ＡまたはＢは、以下のいずれか１つを満たす：Ａが真であり（または存在し）かつＢが偽である（または存在しない）、Ａが偽であり（または存在せず）かつＢが真である（または存在する）、ならびにＡおよびＢの両方が真である（または存在する）。
【００１９】
また、「１つ（ａ）」または「１つ（ａｎ）」の使用は、本明細書において記述される要素（ｅｌｅｍｅｎｔ）および要素（ｃｏｍｐｏｎｅｎｔ）を記載するために用いられる。これは、単に便宜上、および本発明の範囲の一般的な意味を与えるために用いられる。この記載は、１つまたは少なくとも１つを含むと読まれるべきであり、単数形には、他の意味であることが明らかでない限り複数形が含まれる。
【００２０】
元素の周期律表内の縦列に対応する族番号は、ＣＲＣ  Ｈａｎｄｂｏｏｋ  ｏｆ  Ｃｈｅｍｉｓｔｒｙ  ａｎｄ  Ｐｈｙｓｉｃｓ、第８１版（２０００年〜２００１年）に見られるような「新表記」法を使用する。
【００２１】
別に定義されない限り、本明細書で用いられる技術および科学用語の全ては、本発明が属する分野の当業者によって一般に理解されるのと同じ意味を有する。本明細書に記載されるものと同様または等しい方法および材料が本発明の実施形態の実施または試験に用いられ得るが、好適な方法および材料は以下に記載される。特定の文節が引用されない限り、本明細書において言及される刊行物、特許出願、特許、および他の参考文献の全ては、その全体が参照により援用される。矛盾が生じた場合、定義を含む本明細書が優先される。さらに、材料、方法、および実施例は、単に説明的なものであり、限定的であることは意図されない。
【００２２】
１つの実施形態において、本開示の組成物は、１，１，１，２，３，４，４，５，５，５−デカフルオロペンタン（ＨＦＣ−４３−１０ｍｅｅ）および１，１，１，３，３−ペンタフルオロブタン（ＨＦＣ−３６５ｍｆｃ）からなる群から選択されるヒドロフルオロカーボン、１，１，２，２，３，３，４−ヘプタフルオロシクロペンタン（ＨＦＣＰ）、およびトランス−１，２−ジクロロエチレン（ｔ−ＤＣＥ）の共沸混合物様混合物である本質的に定沸点の組成物を含む。ＨＦＣ−４３−１０ｍｅｅは、沸点５３℃を有する無色の液体である。ＨＦＣ−３６５ｍｆｃは、沸点４０．８℃を有する無色の液体である。ＨＦＣＰは、周囲温度で白色の固体であり、約２０℃の融点を有する。ＨＦＣＰは、周囲圧力で約８２℃の沸点を有する。本組成物は、１，１，１，２，３，４，４，５，５，５−デカフルオロペンタンおよび１，１，１，３，３−ペンタフルオロブタンからなる群から選択される約２重量％から約５０重量％のヒドロフルオロカーボン、約２重量％から約５０重量％の１，１，２，２，３，３，４−ヘプタフルオロシクロペンタン、および油および汚染物質を溶解するのに有効な量のトランス−１，２−ジクロロエチレンを含む。
【００２３】
トランス−１，２−ジクロロエチレンの有効量は、溶媒組成物中の通常の油および他の汚染物質の実質的な溶解性をもたらす量である。有効量は、溶媒組成物中の他の成分に依存して、および本組成物がアルコールを含むか否かに依存して変わり得るが、全ての場合に最小限の実験で容易に決定される。１つの実施形態において、ヒドロフルオロカーボンが１，１，１，２，３，４，４，５，５，５−デカフルオロペンタンであり、１，１，１，２，３，４，４，５，５，５−デカフルオロペンタン対１，１，２，２，３，３，４−ヘプタフルオロシクロペンタンの比が１：１である場合、トランス−１，２−ジクロロエチレンの有効量は４７重量％である。別の実施形態において、ヒドロフルオロカーボンが１，１，１，３，３−ペンタフルオロブタンであり、１，１，１，３，３−ペンタフルオロブタン対１，１，２，２，３，３，４−ヘプタフルオロシクロペンタンの比が１：１である場合、トランス−１，２−ジクロロエチレンの有効量は４１重量％である。
【００２４】
１つの実施形態において、本組成物は、約２重量％から約４４重量％の１，１，１，２，３，４，４，５，５，５−デカフルオロペンタン、約２重量％から約５０重量％の１，１，２，２，３，３，４−ヘプタフルオロシクロペンタン、および少なくとも４７重量％のトランス−１，２−ジクロロエチレンを含む、本質的に定沸点の混合物を含む。別の実施形態において、本組成物は、約１０重量％から約５０重量％の１，１，１，３，３−ペンタフルオロブタン、約２重量％から約３０重量％の１，１，２，２，３，３，４−ヘプタフルオロシクロペンタン、および少なくとも４１重量％のトランス−１，２−ジクロロエチレンを含む、本質的に定沸点の混合物を含む。
【００２５】
別の実施形態において、本組成物は、約２重量％から約３５重量％の１，１，１，２，３，４，４，５，５，５−デカフルオロペンタン、約２重量％から約３０重量％の１，１，２，２，３，３，４−ヘプタフルオロシクロペンタン、および約５４重量％から約９０重量％のトランス−１，２−ジクロロエチレンを含む、本質的に定沸点の混合物を含む。さらに別の実施形態において、本組成物は、約５重量％から約２０重量％の１，１，１，２，３，４，４，５，５，５−デカフルオロペンタン、約５重量％から約２０重量％の１，１，２，２，３，３，４−ヘプタフルオロシクロペンタン、および約６０重量％から約８８重量％のトランス−１，２−ジクロロエチレンを含む、本質的に定沸点の混合物を含む。
【００２６】
別の実施形態において、本組成物は、約１重量％から約１０重量％の１，１，１，２，３，４，４，５，５，５−デカフルオロペンタン、約１重量％から約６０重量％の１，１，２，２，３，３，４−ヘプタフルオロシクロペンタン、および約３０重量％から約９８重量％のトランス−１，２−ジクロロエチレンを含む、本質的に定沸点の、共沸混合物様組成物を含む。さらに別の実施形態において、本組成物は、約３９重量％から約８５重量％の１，１，１，２，３，４，４，５，５，５−デカフルオロペンタン、約１重量％から約２０重量％の１，１，２，２，３，３，４−ヘプタフルオロシクロペンタン、および約１４重量％から約６０重量％のトランス−１，２−ジクロロエチレンを含む、本質的に定沸点の共沸混合物様組成物を含む。
【００２７】
別の実施形態において、本開示の組成物は、約１重量％から約６重量％のアルコールをさらに含む。このアルコールは、メタノール、エタノール、１−プロパノール、２−プロパノールおよび２−メチル−２−プロパノールからなる群から選択される１種以上のアルコールであり得る。１つのこのような実施形態において、本組成物は、約５重量％から約５０重量％の１，１，１，２，３，４，４，５，５，５−デカフルオロペンタン、約５重量％から約５０重量％の１，１，２，２，３，３，４−ヘプタフルオロシクロペンタン、少なくとも４７重量％のトランス−１，２−ジクロロエチレン、および約１重量％から約６重量％のアルコールを含む、本質的に定沸点の共沸混合物様組成物を含む。別の実施形態において、本組成物は、約２重量％から約２５重量％の１，１，１，２，３，４，４，５，５，５−デカフルオロペンタン、約２重量％から約２０重量％の１，１，２，２，３，３，４−ヘプタフルオロシクロペンタン、および約６０重量％から約９０重量％のトランス−１，２−ジクロロエチレン、および約２重量％から約５重量％のアルコールを含む、本質的に定沸点の共沸混合物様組成物を含む。
【００２８】
１つの実施形態において、本発明の共沸組成物は、有効な清浄剤、フラックス除去剤、および油性洗浄剤である。特に、本発明の共沸組成物は、フリップチップ（Ｆｌｉｐ  ｃｈｉｐ）、μＢＧＡ（ｂａｌｌ  ｇｒｉｄ  ａｒｒａｙ）、およびチップスケール（Ｃｈｉｐ  ｓｃａｌｅ）または他の高性能高密度パッケージング要素などの要素を有する回路板を脱フラックスする場合に有用である。フリップチップ、μＢＧＡ、およびチップスケールは、半導体業界で使用される高密度パッケージング要素を記述する用語であり、当業者によく理解されている。
【００２９】
別の実施形態において、本発明は、表面または基材から残留物を除去する方法であって、表面または基材を本発明の組成物と接触させる工程、および表面または基材を本組成物から回収する方法に関する。
【００３０】
本発明の方法の実施形態において、表面または基材は集積回路装置であり得、この場合、残留物はロジンフラックスまたは油を含む。集積回路装置は、様々な種類の要素、例えば、フリップチップ、μＢＧＡ、またはチップスケールパッケージング要素を有する回路板であり得る。表面または基材は、さらに、ステンレススチールなどの金属表面であり得る。ロジンフラックスは、集積回路装置のはんだ付けに通常用いられるいずれの種類であってもよく、ＲＭＡ（ｒｏｓｉｎ  ｍｉｌｄｌｙ  ａｃｔｉｖａｔｅｄ（弱活性化ロジン））、ＲＡ（ｒｏｓｉｎ  ａｃｔｉｖａｔｅｄ（活性化ロジン））、ＷＳ（ｗａｔｅｒ  ｓｏｌｕｂｌｅ（水溶性））、およびＯＡ（ｏｒｇａｎｉｃ  ａｃｉｄ（有機酸））を含むが、これらに限定されない。油残留物には、鉱油、潤滑油、およびシリコーン油が含まれるが、これらに限定されない。
【００３１】
本発明の方法において、表面または基材を接触させるための手段は決定的ではなく、本組成物を含む浴中へ装置を浸漬させること、本組成物で装置にスプレーすることまたは本組成物で湿らせた基材を有する装置を拭くことによって達成され得る。あるいは、本組成物は、このような残留物除去のために設計された蒸気脱脂装置または脱フラックス装置でも使用され得る。このような脱脂または脱フラックス装置は、なかでもＦｏｒｗａｒｄ  Ｔｅｃｈｎｏｌｏｇｙ（Ｃｒｅｓｔ  Ｇｒｏｕｐの子会社、Ｔｒｅｎｔｏｎ、ＮＪ）、Ｔｒｅｋ  Ｉｎｄｕｓｔｒｉｅｓ（Ａｚｕｓａ、ＣＡ）、およびＵｌｔｒｏｎｉｘ，Ｉｎｃ．（Ｈａｔｆｉｅｌｄ、ＰＡ）などの様々な供給者から入手できる。
【００３２】
１つの実施形態において、本開示の清浄組成物によって除去される油および油残留物の溶解性の著しくかつ予期されない増加が存在する。
【００３３】
別の実施形態において、周囲温度で液体であるＨＦＣＰを有することができることが有用である。少量の他のヒドロフルオロカーボンを添加すると、周囲温度から０℃程度までの温度で液体である溶媒組成物を生成し得る。１つの実施形態において、このようなヒドロフルオロカーボンには、１，１，１，２，３，４，４，５，５，５−デカフルオロペンタンおよび１，１，１，３，３−ペンタフルオロブタンが含まれる。
【００３４】
多くの態様および実施形態を上記してきたが、単に例示的であり、限定的なものではない。本明細書を読んだ後で、当業者は、他の態様および実施形態が本発明の範囲から逸脱することなく可能であることを理解する。本明細書に記載されるいずれか１つ以上の実施形態の他の特徴および利益は、以下の実施例から、および特許請求の範囲から明らかとなる。
【実施例】
【００３５】
本明細書で記載される概念は、以下の実施例でさらに記載され、これは特許請求の範囲に記載される本発明の範囲を限定しない。
【００３６】
実施例１
実施例１は、ＨＦＣ−４３−１０ｍｅｅ、ＨＦＣ−ｃ４４７およびトランス−１，２−ジクロロエチレンの本質的に定沸点の混合物である。
【００３７】
３３％のＨＦＣ−４３−１０、８％のＨＦＣ−ｃ４４７および５９％のトランス−１，２−ジクロロエチレンの溶液を調製し、十分に撹拌した。この溶液を図１に示すような二つの球状部をもつ装置に入れた。１つのフラスコ（沸騰サンプ（ｂｏｉｌ  ｓｕｍｐ））を溶液の沸点で操作した。その蒸気は第２のフラスコ（洗浄サンプ（ｒｉｎｓｅ  ｓｕｍｐ））中に凝縮し、これを、次いで、重力によって第１のフラスコ中に還流した。沸騰サンプの温度および洗浄サンプの組成を、４７０分の過程にわたって測定した。得られた結果を表１にまとめる。
【００３８】
【表１】
0005618540.tif 000002
【００３９】
結果は、沸点および組成が時間経過とともに著しく変化せず、したがって、共沸混合物様と考えられ得る。
【００４０】
実施例２
１５％のＨＦＣ−４３−１０、１５％のＨＦＣ−ｃ４４７、６８％のトランス−１，２−ジクロロエチレンおよび２％のイソプロピルアルコールの溶液を調製し、十分に撹拌した。この溶液を図１に示すような二つの球状部をもつ装置に入れた。１つのフラスコ（沸騰サンプ）を溶液の沸点で操作した。その蒸気は第２のフラスコ（洗浄サンプ）中に凝縮し、これを、次いで、重力によって第１のフラスコ中に還流した。沸騰サンプの温度および洗浄サンプの組成を、４３５分の過程にわたって測定した。得られた結果を表２にまとめる。
【００４１】
【表２】
0005618540.tif 000003
【００４２】
結果は、沸点および組成が時間経過とともに著しく変化せず、したがって、共沸混合物様と考えられ得る。
【００４３】
実施例３
４．５％のＨＦＣ−４３−１０、５．０％のＨＦＣ−ｃ４４７、８７．５％のトランス−１，２−ジクロロエチレンおよび３．０％のメタノールの溶液を調製し、十分に撹拌した。この溶液を図１に示すような二つの球状部をもつ装置に入れた。１つのフラスコ（沸騰サンプ）を溶液の沸点で操作した。その蒸気は第２のフラスコ（蒸留物サンプ）中に凝縮し、これを、次いで、重力によって第１のフラスコ中に還流した。沸騰サンプの温度および蒸留物サンプの組成を、３９０分の過程にわたって測定した。得られた結果を表３にまとめる。
【００４４】
【表３】
0005618540.tif 000004
【００４５】
実施例４
６．２％のＨＦＣ−４３−１０、６．１％のＨＦＣ−ｃ４４７、および８７．７％のトランス−１，２−ジクロロエチレンの溶液を調製し、十分に撹拌した。この溶液を図１に示すような二つの球状部をもつ装置に入れた。この沸騰フラスコを溶液の沸点で操作した。その蒸気は第２のフラスコ（蒸留物サンプ）中に凝縮し、これを、次いで、重力によって第１のフラスコ中に還流した。沸騰フラスコの温度および蒸留物フラスコの組成を、４８０分の過程にわたって測定した。得られた結果を表４にまとめる。
【００４６】
【表４】
0005618540.tif 000005
【００４７】
実施例５
１４．７％のＨＦＣ−４３−１０、１５．０％のＨＦＣ−ｃ４４７および７０．３％のトランス−１，２−ジクロロエチレンの溶液を調製し、十分に撹拌した。この溶液を図１に示すような二つの球状部をもつ装置に入れた。この沸騰フラスコを溶液の沸点で操作した。その蒸気は第２のフラスコ（蒸留サンプ）中に凝縮し、これを、次いで、重力によって第１のフラスコ中に還流した。沸騰フラスコの温度および蒸留フラスコの組成を、４６５分の過程にわたって測定した。得られた結果を表５にまとめる。
【００４８】
【表５】
0005618540.tif 000006
【００４９】
実施例６
４２．７％のＨＦＣ−３６５、８．３％のＨＦＣ−ｃ４４７および４９．０％のトランス−１，２−ジクロロエチレンの溶液を調製し、十分に撹拌した。この溶液を図１に示すような二つの球状部をもつ装置に入れた。この沸騰フラスコを溶液の沸点で操作した。その蒸気は第２のフラスコ（蒸留物サンプ）中に凝縮し、これを、次いで、重力によって第１のフラスコ中に還流した。沸騰フラスコの温度および蒸留物フラスコの組成を、４８０分の過程にわたって測定した。得られた結果を表６にまとめる。
【００５０】
【表６】
0005618540.tif 000007
【００５１】
実施例７
１０．３％のＨＦＣ−３６５、１９．７％のＨＦＣ−ｃ４４７および７０．０％のトランス−１，２−ジクロロエチレンの溶液を調製し、十分に撹拌した。この溶液を図１に示すような二つの球状部をもつ装置に入れた。この沸騰フラスコを溶液の沸点で操作した。その蒸気は第２のフラスコ（蒸留物サンプ）中に凝縮し、これを、次いで、重力によって第１のフラスコ中に還流した。沸騰フラスコの温度および蒸留物フラスコの組成を、４６０分の過程にわたって測定した。得られた結果を表７にまとめる。
【００５２】
【表７】
0005618540.tif 000008
【００５３】
実施例８
実施例８は、組成に応じた、混合物中の作動油の溶解性を実証する。
【００５４】
様々な溶媒組成物中の作動油の飽和溶液を調製し、次いで、その溶媒を蒸発させて、作動油の重量割合を測定することによって、ＨＦＣ−４３−１０ｍｅｅ、ＨＦＣＰおよびトランス−１，２−ジクロロエチレンの様々な混合物中のＭＬ５６０６作動油の溶解性を測定した。結果を表８にまとめる。
【００５５】
【表８】
0005618540.tif 000009
【００５６】
実施例９
実施例９は、組成に応じた、混合物中の作動油の溶解性を実証する。
【００５７】
様々な溶媒組成物中の作動油の飽和溶液を調製し、次いで、溶媒を蒸発させて、作動油の重量割合を測定することによって、ＨＦＣ−３６５ｍｆｃ、ＨＦＣＰおよびトランス−１，２−ジクロロエチレンの様々な混合物中のＭＬ５６０６作動油の溶解性を測定した。結果を表９にまとめる。
【００５８】
【表９】
0005618540.tif 000010
【００５９】
実施例１０
ＨＦＣ−４３−１０ｍｅｅおよびＨＦＣ−ｃ４４７の混合物によって、凝固点を測定した。適切な量のこの２種類のヒドロフルオロカーボンを試料瓶中に量り取り、次いで、振とうして十分に混合することによってブレンドを調製した。次いで、この試料を０℃で維持した保管室に２４時間置き、次いで観察した。観察結果を表１０に記録する。
【００６０】
【表１０】
0005618540.tif 000011
【００６１】
実施例１１
ＨＦＣ−３６５ｍｆｃおよびＨＦＣ−ｃ４４７の混合物によって、凝固点を測定した。適切な量のこの２種類のヒドロフルオロカーボンを試料瓶中に量り取り、次いで、振とうして十分に混合することによってブレンドを調製した。次いで、この試料を０℃で維持した保管室に２４時間置き、次いで観察した。観察結果を表１１に記録する。
【００６２】
【表１１】
0005618540.tif 000012
【００６３】
一般的な説明または実施例における上記作業の全てが必要とされないこと、特定の作業の一部が必要とされないこともあること、および１つ以上のさらなる作業が、記載されたものに加えて行われ得ることに留意されたい。なおさらに、作業が列挙される順序は、必ずしもそれらが行われる順序ではない。
【００６４】
前述の明細書において、その概念は、特定の実施形態を参照して記載した。しかし、当業者は、様々な修正および変更が以下の添付の特許請求の範囲に記載されたとおりの本発明の範囲から逸脱することなくなされ得ることを理解する。したがって、本明細書および図面は、限定的な意味ではなく説明的な意味であるものとみなされるべきであり、このような修正の全ては、本発明の範囲内に含まれることが意図される。
【００６５】
利益、他の利点、および問題に対する解決は、特定の実施形態に関して上記されてきた。しかし、その利益、利点、問題に対する解決、およびいずれかの利益、利点、または解決を生じさせ、またはより顕著になるようにさせ得るいずれかの特徴は、いずれかまたは全ての請求項の、決定的な、必須な、または不可欠な特徴と解釈されるべきではない。
【００６６】
明確化のために、明細書において別個の実施形態の文脈中で記載される特定の特徴は、一つの実施形態中で組み合わせて与えられてもよいことが理解されるべきである。反対に、簡潔さのために、一つの実施形態の文脈中で記載される様々な特徴は、別個にまたは任意の下位の組合せにおいて与えられてもよい。さらに、範囲において述べられた値への言及には、その範囲内のどの値も含まれる。
【図１】
0005618540.tif 000013